(57)【要約】 【発明が解決しようとする課題】確実かつ容易に袋の口が締められ、かつお洒落な袋口締め具を提供する。【課題を解決するための手段】  紐２と止め具３からなる袋口締め具１であって、その紐２は片端または両端がループ状となっており２１または２２、止め具３は円筒状であって、筒底の内側に底板３１から順に弾性体３２、仕切り板３３、仕切り板３３とボタン３６をつなぐ円筒３８、ボタン３６が設けられており、止め具３の側壁には上部に凸部３９、３９を有する二つの小窓３７、３７が設けられており、上記紐２はこの二つの小窓３７、３７を通り上記仕切り板３３と上記ボタン３６との間に位置しており、上記二つの小窓３７、３７とは反対側の側壁に中央部に下向きの突起３５を有する略コ字型窓３４が設けられており、この突起３５に上記ループ状２１または２２が係止されるようになされている事を特徴とする袋口締め具１。  【選択図】  図1
2005058297.tif 000002
【特許請求の範囲】
【請求項１】
紐と止め具からなる袋口締め具であって、その紐は片端または両端がループ状となっており、止め具は円筒状であって、筒底の内側に底板から順に弾性体、仕切り板、仕切り板とボタンをつなぐ円筒、ボタンが設けられており、止め具の側壁には上部に凸部を有する二つの小窓が備えられ、上記紐はこの二つの小窓を通り上記仕切り板と上記ボタンとの間に位置しており、上記二つの小窓と反対側の側壁には中央部に下向きの突起を有する略コ字型窓が備えられ、この突起に上記ループ状が係止されるようになされている事を特徴とする袋口締め具。
【発明の詳細な説明】
【技術分野】
【０００１】
本発明は、粉類や砂糖・塩等の袋の口を締めるための袋口締め具に関するものである。
【背景技術】
【０００２】
従来、粉類や砂糖・塩等の袋の口を締めるためには、針金や輪ゴム等が使用されてきた。
【０００３】
また、従来の技術としては、例えば、特開平１０−２３４４３１号公報や実開平６−３１１０号公報で提案されているものもある。
【０００４】
【特許文献１】特開平  １０−２３４４３１号公報
【特許文献２】実開平  ６−３１１０号公報
【発明の開示】
【発明が解決しようとする課題】
【０００５】
しかし、針金は、金属なので手を怪我することもあり、幼児等にとって必ずしも安全ではない。また、完全に締めるためには、何度もねじらなければならず相当の力を要する。さらに、袋の口を開くためにはやはり何度もねじらなければならないので、手間がかかる。また、針金の長さが長いものは完全に締めるのにねじる回数が多くなるし、他方で、短いものは完全に締めるのに相当の力を要するなど、締め難い。その上、完全に締めることはほぼ不可能である。大抵の場合、袋を逆に向けると中身がこぼれ出るのである。針金はこのような性質を有するので、特に力の弱い幼児や高齢者に不向きである。
【０００６】
一方、輪ゴムでは、何度もひねって締めなければならず、手間がかかる上に、袋の口を開くためにも同様の手間がかかる。さらに、完全に締める事はほぼ不可能である。大抵の場合、袋を逆に向けると中身がこぼれ出るのである。
【０００７】
また、特開平１０-２３４４３１号公報や実開平６-３１１０号公報で提案されているものでは、紐が両端とも操作体の内部を貫通しているので、袋の口を縛るには、紐の両端を発明品に通して紐を輪状にした上でその輪状の中に袋の口を通し、袋の口を締めなければならず、手間がかかる。また、袋の口を開く場合には発明品の操作体を操作して輪状の直径を広げ、輪状から袋の口を抜かなければならず、手間がかかる。さらに、袋の口を締める前に輪状を袋の口の広さにあわせておかなければならず、そうでなければ輪状の中に袋の口を通した後で操作体を動かす距離が増えるので面倒である。また、直径の広い袋の口を締めるには、輪状の直径も広くしなければならないので長い紐が必要であるので、袋の口を締めていない時には置き場所をとり、また袋の口を締めた後も袋から長い紐が垂れ下がり、置き場所をとる。さらに、袋の口を締める前に作っておく輪状は、袋の口を締めた状態よりも直径がかなり広くなるので、紐を引く時に袋の口が輪状にした紐から抜け落ち、袋の口を締められない、と言う事も起こる。また、操作体を操作していない時でも多少紐が動くので、完全に締めそのまま固定する事は不可能であった。実際に袋の口を締め袋を逆さに向けると中身がこぼれ落ちるなどの問題点があった。
【課題を解決するための手段】
【０００８】
本発明の袋口締め具は、上記問題を解決するためになされたものであり、紐と止め具からなる袋口締め具であって、その紐は片端または両端がループ状となっており、止め具は円筒状であって、筒底の内側に底板から順に弾性体、仕切り板、仕切り板とボタンをつなぐ円筒、ボタンが設けられており、止め具の側壁には上部に凸部を有する二つの小窓が設けられており、上記紐はこの二つの小窓を通り上記仕切り板と上記ボタンとの間に位置しており、上記二つの小窓と反対側の側壁には中央部に下向きの突起を有する略コ字型窓が設けられており、この突起に上記ループ状が係止されるようになされている事を特徴とする。
【発明の効果】
【０００９】
外表部分に金属や尖った部品等を使わないので、手などを怪我する心配がなく、安全に使用できると共に、短い紐であっても幅広い直径の袋の口を締めら
れる。また、袋の口を開くのもボタン一つを押すだけ、と非常に簡単である。
さらに、ボタンを押さない状態では紐は止め具に完全に固定され、また、ボタンを少し押すだけで紐を止め具から容易に抜き差しする事ができるので、力の弱い幼児や高齢者でも完全に袋の口を締める事ができる。こうして締めれば、袋を逆に向けても中身が全くこぼれない。また紐の端部に設けるループ状は片端でも十分であるが、両端をループ状にすれば、右利き・左利きでも使いやすく、さらに見た目にもお洒落である。
【発明を実施するための最良の形態】
【００１０】
本発明に用いる紐としては、繊維製、プラスチック製、ゴム製等、いずれで
も良いが、止め具の二つの小窓を抜き差しして締めるためには、表面が平滑で滑りやすいものが良く、ビニール製が好ましい。さらに透明な素材であれば美的にも好ましい。紐の太さとしては、用いる袋の大きさや内容により異なるが、２ｍｍ〜３.５ｍｍ程度が望ましい。また、止め具の二つの小窓の間隔は、ボタンを少し押した時に容易に紐を抜き差しでき、かつボタンを押さない時に袋の口を完全に締めるためには、小窓と小窓を隔てる壁の幅が１ｃｍ程度が望ましい。さらに、この二つの小窓には、ボタンを押さない時に紐がしっかりと固定されるように、中央に紐の直径の三分の一程度が入る丸い凸部が形成されていることが望ましい。さらに、弾性体は金属製が望ましく、特にコイルバネが望ましい。仕切り板は、円筒の内径より少し直径が小さく、厚さは１ｍｍ程度が望ましい。仕切り板とボタンをつなぐ円筒は、プラスチック製で直径４ｍｍ〜６ｍｍ、厚さ０.５ｍｍ程度が望ましい。ボタンは、円筒の内径より少し直径が小さいものが望ましい。また、略コ字型窓は、丸みを帯びている方が望ましい。さらに、略コ字型窓の中央に下向きに形成されている突起についても、丸みを帯びている方が望ましい。
【実施例】
【００１１】
以下、本発明の実施の一例につき、図面を用いて説明する。図１および図２は本発明の全体図である。図１および図２に示すように、紐２は、平滑で透明なビニール製で長さ１５ｃｍ直径２ｍｍであり、両端を１.５ｃｍ折り返して作ったループ状２１および２２を有する。紐２を抜き差しするための二つの小窓
３７、３７は、直径４.５ｍｍの丸い小窓であり上部に横幅１.６ｍｍ、高さ０.６ｍｍの丸い凸部３９、３９が形成されている。二つの小窓３７、３７を隔てる壁の幅は１ｃｍである。また、図３に示すように、止め具３はプラスチック製で直径１.７ｃｍの円筒状であり、コイルバネ３２は直径３ｍｍ、仕切り板３３はプラスチック製で直径１.４ｍｍ、厚さ０.５ｍｍである。ボタン３６はプラスチック製で直径１.４ｍｍであり、直径４ｍｍ、高さ５.５ｍｍの円筒３８を介して仕切り板３３とつながっている。この円筒３８の内腔には底板３１から延びたコイルバネ３２がボタン３６にまで達している。止め具３には、上記二つの小窓３７、３７の反対側に横幅１.４ｃｍ高さ７ｍｍの略コ字型窓３４が設けられており、この略コ字型窓３４の中央部には下向きに丸みを帯びた横幅４ｍｍで側壁の最上部から先端までの距離が４.５ｍｍの突起３５が設けられている。ボタン３６を押さない時にはコイルバネ３２の作用で、紐２は二つの小窓３７、３７の中央上部に形成された丸い凸部３９、３９と仕切り板３３との間に固定され、容易には動かない。また、ボタン３６を押すと、紐２は凸部３９、３９から離れるので、紐２を止め具３から容易に抜き差しできるようになる。袋４の口の回りに紐２を添わせ、ボタン３６を押しながら略コ字型窓３４にループ状２１を差し込み、ボタン３６を離せば、コイルバネ３２の作用で仕切り板３３が跳ね上がり、ループ状２１が突起３５に引っ掛かって係止され、同時に止め具３を貫通している紐２が二つの小窓３７、３７の上部に形成された丸い凸部３９、３９と仕切り板３３との間に固定される。そして、ボタン３６を少し押しながら紐２の片端のループ状２２を手前に引けば、図４に示すように袋４の口が完全に締まる。見た目にもお洒落である。
【産業上の利用可能性】
【００１２】
砂糖、塩、小麦粉、かたくり粉、などの粉類の袋の口を締めるのみでなく、米の袋、パンやお菓子の袋、冷凍食品の袋等、様々な袋の口を締めることができ、また筆箱の代わりに筆記具や筆を縛って持ち運んだり、植木の固定に利用したり、複数のコードをまとめるのにも利用できる。現在輪ゴムや針金が使用されている分野のほとんどに利用可能である。
【図面の簡単な説明】
【００１３】
【図１】本発明の実施の一例を示す説明図
【図２】図1を別の角度から見た説明図
【図３】図１の部分拡大説明図
【図４】本発明を実際に用いた状態を示す説明図
【符号の説明】
【００１４】
１  袋口締め具
２  紐
２１  ループ状
２２  ループ状
止め具
３１  底板
３２  コイルバネ
３３  仕切り板
３４  窓
３５  突起
３６  ボタン
３７  小窓
３８  円筒
３９  凸部
４  袋
【図１】
2005058297.tif 000003
【図２】
2005058297.tif 000004
【図３】
2005058297.tif 000005
【図４】
2005058297.tif 000006